(57)【特許請求の範囲】
【請求項１】
各住戸に設けられた宅内設備と宅外の端末装置とがネットワークを介してサーバに接続され、前記宅内設備は、主幹ブレーカの二次側から分岐した分岐電路にそれぞれ設けられた複数の分岐ブレーカに流れる電流を、分岐ブレーカ毎に計測する電流計測部を具備した電流計測ユニットと、前記電流計測部の計測結果に基づいて分岐ブレーカ毎の使用電力量を演算する使用電力量演算部、および、前記使用電力量演算部の演算結果に基づいて分岐ブレーカ毎の電気使用量を含む各種の電気使用量の情報を生成する制御部を具備したエネルギーマネジメントユニットと、前記エネルギーマネジメントユニットとの間で情報を授受し、操作入力に応じて各種の電気使用量の情報を表示する表示装置と、ネットワークを介して前記サーバに接続するためのネットワーク接続部と、前記分岐電路毎に、前記分岐電路にそれぞれ接続される電気機器が電気使用状態か否かを判別するための閾値として設定時における消費電力値を設定する閾値設定手段とを備え、前記サーバは、分岐ブレーカ毎の現在の電気使用量を含む情報を前記エネルギーマネジメントユニットから取得して前記情報を前記端末装置に送信し、前記端末装置は、受信した前記情報を表示手段に表示させ、前記制御部は、前記閾値設定手段により設定された閾値と、前記使用電力量演算部の演算結果との大小を比較することによって、前記電気機器が電気使用状態か否かを判別することを特徴とするエネルギーマネジメントシステム。
【請求項２】
前記サーバは、前記複数の分岐ブレーカより予め選択した分岐ブレーカの現在の電気使用量を含む情報を前記端末装置に送信し、前記端末装置は、受信した前記情報を前記表示手段に表示させることを特徴とする請求項１記載のエネルギーマネジメントシステム。
【請求項３】
前記端末装置は、前記表示手段に前記情報を表示させた状態において、前記予め選択した分岐ブレーカに接続した電気機器を一括してオフするためのオフ操作ボタンを前記表示手段に表示させ、前記オフ操作ボタンの操作に応じて前記電気機器を一括してオフする制御信号を前記宅内設備に送信することを特徴とする請求項２記載のエネルギーマネジメントシステム。
【発明の詳細な説明】
【技術分野】
【０００１】
本発明は、エネルギーマネジメントシステムに関するものである。
【背景技術】
【０００２】
従来より、住戸内の電気機器の電力使用量を計測し、住戸内に設置された情報端末により計測結果をモニタリングできる電力監視システムが提供されており、さらにこのシステムでは前年との比較結果を表示できるようになっている（例えば特許文献１参照）。
【特許文献１】特開２００２−３５４５６０号公報（段落［００２８］、及び、第１図）
【発明の開示】
【発明が解決しようとする課題】
【０００３】
上述の特許文献１に示した電力監視システムは、住戸人が住戸内にいる場合に電力使用量をモニタリングできるものであって、住戸外にいる場合には電力使用量をモニタリングできないため、外出時に電気の消し忘れなどを確認できるものではなかった。
【０００４】
本発明は上記問題点に鑑みて為されたものであり、その目的とするところは、住宅外にいる場合でも住宅内の電気の使用状況が確認できるエネルギーマネジメントシステムを提供することにある。
【課題を解決するための手段】
【０００５】
請求項１の発明は、各住戸に設けられた宅内設備と宅外の端末装置とがネットワークを介してサーバに接続され、宅内設備は、主幹ブレーカの二次側から分岐した分岐電路にそれぞれ設けられた複数の分岐ブレーカに流れる電流を、分岐ブレーカ毎に計測する電流計測部を具備した電流計測ユニットと、電流計測部の計測結果に基づいて分岐ブレーカ毎の使用電力量を演算する使用電力量演算部、および、使用電力量演算部の演算結果に基づいて分岐ブレーカ毎の電気使用量を含む各種の電気使用量の情報を生成する制御部を具備したエネルギーマネジメントユニットと、エネルギーマネジメントユニットとの間で情報を授受し、操作入力に応じて各種の電気使用量の情報を表示する表示装置と、ネットワークを介してサーバに接続するためのネットワーク接続部と、分岐電路毎に、分岐電路にそれぞれ接続される電気機器が電気使用状態か否かを判別するための閾値として設定時における消費電力値を設定する閾値設定手段とを備え、サーバは、分岐ブレーカ毎の現在の電気使用量を含む情報をエネルギーマネジメントユニットから取得して情報を端末装置に送信し、端末装置は、受信した情報を表示手段に表示させ、制御部は、閾値設定手段により設定された閾値と、使用電力量演算部の演算結果との大小を比較することによって、電気機器が電気使用状態か否かを判別することを特徴とする。
【０００６】
請求項２の発明は、サーバは、複数の分岐ブレーカより予め選択した分岐ブレーカの現在の電気使用量を含む情報を端末装置に送信し、端末装置は、受信した情報を表示手段に表示させることを特徴とする。
【０００８】
請求項３の発明は、端末装置は、表示手段に情報を表示させた状態において、予め選択した分岐ブレーカに接続した電気機器を一括してオフするためのオフ操作ボタンを表示手段に表示させ、オフ操作ボタンの操作に応じて電気機器を一括してオフする制御信号を宅内設備に送信することを特徴とする。
【発明の効果】
【０００９】
請求項１の発明によれば、端末装置の表示手段に分岐ブレーカ毎の現在の電気使用量が表示されるので、使用者が住戸外にいても住戸内の電気の使用状況を把握することができ、電気の消し忘れなどを確認することができるという効果がある。また、表示手段に表示された電気使用量を確認することにより、家族の帰宅や外出など、住戸内の様子を把握することもできるという効果がある。さらに、常時使用される電気機器が分岐電路に接続される場合、この電気機器の電気使用量を閾値に設定することによって、当該分岐電路に接続された他の電気機器が使用状態か否かを判別することができる。また、従来のものでは常時使用される電気機器と他の電気機器とを区別できないため、常時使用される電気機器のみが使用状態にある場合であっても使用状態であると判断され、他の電気機器を消しに行くことになるが、本発明によれば常時使用される電気機器のみが使用状態にある場合には未使用状態であると判断されるので、常時使用される電気機器のみが使用状態であるにもかかわらず他の電気機器を消しに行くという無駄足を防ぐことができるという効果がある。
【００１０】
請求項２の発明によれば、予め選択した分岐ブレーカの現在の電気使用量のみを端末装置の表示手段に表示しているので、すべての分岐ブレーカの電気使用量を表示する場合に比べて、確認したい分岐ブレーカを探し出す手間を省くことができるという効果がある。
【００１２】
請求項３の発明によれば、端末装置の表示手段にサーバから受信した情報を表示させた状態において、予め選択した分岐ブレーカに接続した電気機器を一括してオフするためのオフ操作ボタンを上記表示手段に表示し、このオフ操作ボタンの操作に応じて電気機器を一括してオフする制御信号を宅内設備に送信しており、この制御信号により上記電気機器を一括してオフすることができるので、表示手段を、上記電気機器をオフするための表示画面に切り替える必要がなく、表示切替に要する手間を省くことができ、操作性が向上するという効果がある。
【発明を実施するための最良の形態】
【００１３】
本発明の実施形態を図面に基づいて説明する。
【００１４】
本実施形態のエネルギーマネジメントシステムは、図１に示すように各住戸に設置される宅内設備Ａと宅外の携帯端末ＰＴ（端末装置）とをインターネットＮＴ（ネットワーク）を介してセンタ装置ＳＶ（サーバ）に接続して構成され、宅内設備Ａは、宅内に設置される統合管理盤１と、商用電源を供給する電路Ｌｐおよび情報伝送路Ｌｊを介して統合管理盤１に接続されて、統合管理盤１が電力供給、制御並びに監視を行う照明器具、空調機器（エアコン）、床暖房器具、ＩＨ機器などの宅内に設置された複数の電気機器Ｘｍｎ（添え字のｍ、ｎは１以上の整数を示す。ｍ、ｎ＝１，２，…、以下同様。）と、統合管理盤１にＬＡＮケーブルＬｉを介して接続される複数（図では２つ）の端末装置（パーソナル・コンピュータＰＣ並びに表示制御装置ＣＶ等のウェブブラウザ機能を有する端末装置）とを備え、統合管理盤１と端末装置とが汎用の通信プロトコル（ＴＣＰ／ＩＰ、ＨＴＴＰなど）を利用した宅内ネットワークを構成している。ここに、パーソナル・コンピュータＰＣ並びに表示制御装置ＣＶなどにより表示装置が構成されている。
【００１５】
この宅内ネットワークは、１００ＢＡＳＥ−ＴＸ（ＩＥＥＥ  ８０２．３ｕ）規格に準拠したローカルエリアネットワーク（ＬＡＮ）であって、統合管理盤１内においてレイヤ２スイッチやレイヤ３スイッチに相当する後述の統合装置ＴＭ（ネットワーク接続部）に、ネットワーク端末に相当する端末装置（パーソナル・コンピュータＰＣ並びに表示制御装置ＣＶ）などがスター配線で接続されている。また、統合装置ＴＭは、インターネットＮＴに接続するための回線の種類（電話回線、ＣＡＴＶ回線、光ファイバ回線など）に応じたインターネット接続機能を有しており、この統合装置ＴＭを介して宅内ネットワークが外部ネットワークたるインターネットＮＴに接続される。なお、宅内ネットワークを構成する端末装置は、図３に示すようにウェブブラウザ機能を有するネットテレビＴＶなどであってもよく、このネットテレビＴＶはマルチメディアコンセントＭＣを介して統合管理盤１に接続される。
【００１６】
さらに、この宅内ネットワークには、宅外に設置されたセンタ装置ＳＶがインターネットＮＴを介して接続されており、後述するようにインターネットＮＴに接続可能なノート型のパーソナル・コンピュータ、携帯電話機、ＰＤＡ（Ｐｅｒｓｏｎａｌ  Ｄｉｇｉｔａｌ  Ａｓｓｉｓｔａｎｃｅ）などからなるウェブブラウザ機能を有する携帯型の端末装置（携帯端末ＰＴ）とセンタ装置ＳＶとの間でインターネットＮＴを介したデータ通信を行うことにより、例えば、携帯端末ＰＴを使って外出先から宅内電気機器の制御や監視を行うことができる。ここに、携帯端末ＰＴにより端末装置が構成されている。
【００１７】
センタ装置ＳＶは、ネットワーク機能を有する汎用のコンピュータ装置で構成されており、携帯端末ＰＴからインターネットＮＴを介して送信される統合管理盤１宛てのメッセージや、統合管理盤１から宅内ネットワークに属さない端末装置（例えば、携帯端末ＰＴなど）に宛てて送信されるメッセージを中継する機能を有している。また、センタ装置ＳＶは情報データベースＤＢを備え、この情報データベースＤＢには省エネ豆知識が逐次（例えば、１ヶ月分をまとめて）保存されており、センタ装置ＳＶは保存した省エネ豆知識を端末装置ＴＵ（表示制御装置ＣＶやパソコンＰＣや携帯端末ＰＴなど）に向けて配信できるように構成されている。ここにおいて、上述のようなインターネット接続機能を有する携帯端末ＰＴやセンタ装置ＳＶは従来周知であるから、詳細な構成については説明を省略する。
【００１８】
統合管理盤１は、図１および図２に示すように、外部から住宅に供給される商用電源を一次側に受ける主幹ブレーカＢｓと、主幹ブレーカＢｓの二次側から分岐した電路にそれぞれ介挿される複数（図１では３個のみ表示）の分岐ブレーカＢｍｎ（ｍ＝１，２，…、ｎ＝１，２，…）と、これら主幹ブレーカＢｓおよび分岐ブレーカＢｍｎに流れる電流を計測するための電流計測ユニット２と、電流計測ユニット２から入力される計測データに基づいて使用電力量を演算するエネルギーマネジメントユニット３と、上記の統合装置ＴＭと、電気機器コントローラＣ１とを備えている。そして、各分岐ブレーカＢｍｎを介して分岐された各電路Ｌｐｍｎ（ｍ＝１，２，…、ｎ＝１，２，…）は統合管理盤１外に導出され、各電路Ｌｐｍｎに接続される電気機器Ｘｍｎ（ｍ＝１，２，…、ｎ＝１，２，…）に対して動作電源を供給している。
【００１９】
電流計測ユニット２は、主幹ブレーカＢｓを介して供給されている主幹電力量を定期的に計測する主幹電力計測部２ａと、各分岐ブレーカＢｍｎを流れる分岐電流の値を分岐ブレーカ毎に定期的に計測する分岐電流計測部ＣＴｍｎ（ｍ＝１，２，…、ｎ＝１，２，…）と、主幹ブレーカＢｓの主幹電力および分岐ブレーカＢｍｎ毎の分岐電流の計測データを収集し、収集した計測データを検出情報としてエネルギーマネジメントユニット３に出力する制御部２ｂとを備えている。
【００２０】
主幹電力計測部２ａは、主幹ブレーカＢｓを流れる主幹電流を定期的に計測する主幹電流計測部ＣＴｓと、主幹電流の計測値に基づいて電力量を演算する電力演算部ＥＰＯとを備えており、主幹電流計測部ＣＴｓで計測した主幹電流の計測値を電力演算部ＥＰＯで電力量に変換することによって主幹ブレーカＢｓを介して供給される主幹電力量が演算される。
【００２１】
ここで、分岐ブレーカＢｍｎ毎に設けられた分岐電流計測部ＣＴｍｎ（ｍ＝１，２，…、ｎ＝１，２，…）は、各電路Ｌｐｍｎ（ｍ＝１，２，…、ｎ＝１，２，…）に流れる分岐電流を検出する電流センサ（図示せず）と、電流センサの検出出力に基づいて検出データを生成するセンサユニット（図示せず）とを備えており、さらにセンサユニットでは生成した検出データを伝送用信号に変調して制御部２ｂに出力している。
【００２２】
そして、制御部２ｂでは、センサユニットから入力された伝送用信号を復調して検出データを取り出し、取得した検出データを送信部２ｃから順次エネルギーマネジメントユニット３に送信している。
【００２３】
次に、エネルギーマネジメントユニット３は、上記送信部２ｃより受信した分岐ブレーカＢｍｎ毎の分岐電流の計測データに基づいて、各分岐ブレーカＢｍｎを介して供給されている分岐電力量を演算する演算部３ａ（使用電力量演算部）と、演算部３ａから入力された主幹電力量および分岐電力量に基づいて、主幹電力量を表す画像データや各分岐電力量を表す画像データなどの表示制御装置ＣＶに表示させる画面データを生成する制御部３ｂとを備えている。ここに、演算部３ａにより使用電力量演算部が構成されている。
【００２４】
上記の制御部３ｂは、電力量検知を行う分岐ブレーカＢｍｎのデータ（分岐ブレーカの名称：分岐１、分岐２、．．．など）を予め格納しており、主幹電力量および分岐電路毎の分岐電力量など各種の電気使用量を表示するための画像データとしてウェブコンテンツ（ウェブページ）を作成し、端末装置ＴＵ（表示制御装置ＣＶやパソコンＰＣや携帯端末ＰＴなど）からの要求に応じて所望のウェブコンテンツを端末装置ＴＵに提供（配信）する機能（ウェブサーバ機能）を有しており、ＬＡＮケーブルを介して統合管理盤１内の統合装置ＴＭや電気機器コントローラＣ１などが接続されている。ここにおいて、制御部３ｂには、分岐ブレーカＢｍｎのデータとして、分岐ブレーカＢｍｎに接続される電気機器の名称やその使用場所の情報が格納されており、空調機器（エアコン）や床暖房設備などの単独回路のために個別に設けた分岐ブレーカの場合には、対応する電気機器の名称が格納される。また、単独回路ではなく不特定の電気機器が接続される可能性のある分岐ブレーカの場合には、各分岐ブレーカに接続される可能性がある電気機器の名称（例えば、照明器具、テレビ、給湯器など）や主たる使用場所が格納されており、ユーザが各分岐ブレーカに接続して使用する可能性が高い電気機器（例えば、ホットカーペットやアイロンなど）の名称およびその使用場所を設定しておくのが好ましい。
【００２５】
また、制御部３ｂは、各分岐ブレーカＢｍｎに接続されている電気機器Ｘｍｎの情報（例えば、使用用途や設置場所や停止時分岐電流など）が予め登録されるとともに、演算部３ａから入力される主幹電力量および分岐ブレーカＢｍｎ毎の分岐電力量（使用電力量）を時系列で逐次記憶するデータ記憶部３ｄと、端末装置ＴＵ（表示制御装置ＣＶやパソコンＰＣや携帯端末ＰＴなど）から統合装置ＴＭを介して入力される各種の要求信号に応じて、主幹電力量および分岐電路毎の分岐電力量など各種の電気使用量を表示するための画像データを生成し、当該画像データを端末装置ＴＵに送信（配信）する画像データ生成部３ｃとを備えている。
【００２６】
一方、宅内にはリビング、寝室、子供部屋等の複数の部屋Ｒｍ（ｍ＝１，２，…）が設けられており、各部屋Ｒｍにはそれぞれ電気機器Ｘｍｎ（ｍ＝１，２，…、ｎ＝１，２，…）や電気機器が接続されるコンセントなどが設けられている。本実施形態では、図１および図３に示すように、分岐ブレーカＢ１ｎ（ｎ＝１，２，…）には、部屋Ｒ１（例えば、リビング）に設けたエアコンＸ１１やコンセント１０（エアコンＸ１１以外の電気機器であって、部屋Ｒ１内で使用される電気機器が接続されるコンセント）が接続され、対応する電路Ｌｐ１ｎ（ｎ＝１，２，…）を介して電力供給している。また、分岐ブレーカＢ２０には、部屋Ｒ２（例えば、子供部屋）に設けたエアコンＸ２１が接続され、電路Ｌｐ２０を介して電力供給している。さらに、分岐ブレーカＢ３１には、部屋Ｒ３（例えば、寝室）に設けたエアコンＸ３１が接続され、電路Ｌｐ３１を介して電力供給している。また、分岐ブレーカＢ４ｎ（ｎ＝１，２，…）には、部屋Ｒ４（例えば、台所）に設けたエアコンＸ４１や冷蔵庫用のコンセント８が接続され、対応する電路Ｌｐ４ｎ（ｎ＝１，２，…）を介して電力供給している。さらに、分岐ブレーカＢ５１には、部屋Ｒ５（例えば、和室）に設けたコンセント１１（部屋Ｒ５内で使用される電気機器が接続されるコンセント）が接続され、電路Ｌｐ５１を介して電力供給している。また、分岐ブレーカＢｍｎ（ｍ＝６，７，…、ｎ＝１，２，…）には、給湯器１４や床暖房１３や洗濯機用のコンセント９がそれぞれ接続され、対応する電路Ｌｐｍｎ（ｍ＝６，７，…、ｎ＝１，２，…）を介して電力供給している。
【００２７】
次に、統合装置ＴＭは、図１に示すようにＬＡＮケーブル（エンハンスト・カテゴリ５若しくはカテゴリ６のＬＡＮケーブル）を介して、盤内のエネルギーマネジメントユニット３の制御部３ｂや電気機器コントローラＣ１、盤外のパソコンＰＣ、表示制御装置ＣＶが接続されるとともに、インターネットＮＴを通じてセンタ装置ＳＶや、携帯電話機などの携帯端末ＰＴ、または他の端末装置に接続しており、パケット処理機能、経路切換機能、ネットワークセキュリティ機能、ＵＰｎＰ（ユニバーサル・プラグ・アンド・プレイ）のコントロールポイントの機能等を有して、ネットワークにおけるデータ授受をコントロールしている。
【００２８】
また、上述の端末装置ＴＵ（表示制御装置ＣＶやパソコンＰＣや携帯端末ＰＴなど）は、図５のブロック図に示すように統合装置ＴＭとの間でデータの授受を行う送受信部１５と、液晶ディスプレイからなる画像表示部１６と、操作信号を入力するための入力操作部１８と、送受信部１５、画像表示部１６および入力操作部１８などの全体の制御を行う制御部１７とを備えている。ここにおいて、表示制御装置ＣＶの画像表示部１６はタッチパネルからなり、このタッチパネルにより入力操作部１８が構成され、パソコンＰＣや携帯端末ＰＴなどはキーボードやテンキーにより入力操作部１８が構成されている。
【００２９】
また、図１における電気機器コントローラＣ１は、統合装置ＴＭとのインタフェース機能と、日本電機工業会（ＪＥＭＡ）の統一規格に適合した電気機器Ｘｍｎとのインタフェース機能をそれぞれ有している。この電気機器コントローラＣ１は、統合装置ＴＭを介して端末装置ＴＵから制御要求のメッセージを受け取ったときに、情報伝送路Ｌｊを介して各電気機器Ｘｍｎ（例えば、エアコンや床暖房設備など）を個別に制御して運転と停止を切り換える機能（制御機能）や、統合装置ＴＭを介して端末装置ＴＵから監視要求のメッセージを受け取ったときに、情報伝送路Ｌｊを介して各電気機器Ｘｍｎの動作状態（運転［点灯］又は停止［消灯］）を個別に取得するとともに、制御要求や監視要求に対する応答（各電気機器Ｘｍｎの動作状態）のメッセージを要求メッセージの送信元である端末装置ＴＵに向けて統合装置ＴＭを介して送信させる機能（監視機能）を有する。また、電気機器コントローラＣ１は、自己の配下にある電気機器Ｘｍｎの機器名称情報、部屋Ｒｍの名称情報等を予め格納しており、電気機器Ｘｍｎの名称並びに動作状態を文字や記号で表示するためのウェブコンテンツ（ウェブページ）を作成し、端末装置ＴＵからの要求に応じて当該ウェブコンテンツを端末装置ＴＵに提供（配信）する機能（ウェブサーバ機能）も有している。
【００３０】
ここで、図４は、統合管理盤１内における主幹ブレーカＢｓ、分岐ブレーカＢｍｎ、電流計測ユニット２を構成する制御ユニット（制御部）２ｂ、エネルギーマネジメントユニット３、統合装置ＴＭ等の配置を示している。主幹ブレーカＢｓの右側には、複数の分岐ブレーカＢｍｎが上下２列に配列されるとともに横並びに配置されており、これらの分岐ブレーカＢｍｎの右側には制御ユニット２ｂが配置されている。また、主幹ブレーカＢｓの下部には上述した主幹電力計測部２ａを構成する主幹電力計測センサＳ１が配置され、この主幹電力計測センサＳ１は通信ケーブルＬｉ２（例えば、ＲＳ４８５など）を介して制御ユニット２ｂに接続されており、主幹電力計測センサＳ１で計測した主幹ブレーカＢｓの主幹電力量が通信ケーブルＬｉ２を介して制御ユニット２ｂに入力されるようになっている。
【００３１】
さらに、制御ユニット２ｂの右側には、エネルギーマネジメントユニット３が配置されており、エネルギーマネジメントユニット３の右側には統合装置ＴＭが配置されている。エネルギーマネジメントユニット３は、ＬＡＮケーブルＬｉを介して統合装置ＴＭに接続されるとともに、通信ケーブルＬｉ１（例えば、ＲＳ４８５など）を介して制御ユニット２ｂに接続されており、制御ユニット２ｂの送信部２ｃから送信された主幹ブレーカＢｓの主幹電力および分岐ブレーカＢｍｎ毎の分岐電流の計測データが通信ケーブルＬｉ１を介してエネルギーマネジメントユニット３に入力されるようになっている。
【００３２】
また、本実施形態では、図４に示すように主幹ブレーカＢｓを介して供給される商用電源とは別に、太陽光を利用した太陽電池４から電力供給できるようになっている。この太陽電池４は、多数の太陽電池セル（太陽光からのエネルギーを光電変換し、電気エネルギーに変換する素子）を配列してパネル状としたものであって、直流電源として使用される。太陽電池４で生成された直流電力は、パワーコンディショナ５により交流電力に変換され、連系ブレーカ６と一次分岐ブレーカ７を介して商用電源と連系して負荷に供給される。
【００３３】
ここで、使用者が宅外において、例えばノート型のパーソナル・コンピュータからなる携帯端末ＰＴからインターネットＮＴを介してセンタ装置ＳＶに接続して認証に成功すると、使用者の個人ページが携帯端末ＰＴの表示画面１６ａに表示される（図６参照）。この画面の上側には画面の名称（本画面では「メニュー」）を示すタイトルバーＴＢ１が表示され、画面中央には所望のメニューを選択するための選択ボタンＢ１〜Ｂ９が、画面の下側には登録サイトのトップページに移行するための移行ボタンＢ１０やホームポータルへ移行するための移行ボタンＢ１１がそれぞれ表示されている。なお、各々の選択ボタンＢ１〜Ｂ９には対応するメニューの内容を示す文字（「カメラ」「機器コントロール」「エコ」「設定」など）が表示されている。
【００３４】
図６に示す画面において、使用者がエコ画面に切り替えるための選択ボタンＢ４を選択すると、携帯端末ＰＴの制御部１７が送受信部１５からインターネットＮＴを介してセンタ装置ＳＶにエコ画面の表示要求を送信させ、センタ装置ＳＶが当該表示要求を受信すると、センタ装置ＳＶは、エコ画面を表示させるためのウェブページを作成するとともに、作成したウェブページをインターネットＮＴを介して表示要求の送信元の携帯端末ＰＴに向けて送信し、携帯端末ＰＴでは送受信部１５が受信したウェブページが画像表示部１６の表示画面１６ａに表示される。図７（ａ）は、携帯端末ＰＴの画像表示部１６の表示画面１６ａに表示されるエコ画面の一例を示している。この画面の上側には画面の名称（本画面では「エコ」）を示すタイトルバーＴＢ２が、画面中央には全ての電路Ｌｐｍｎ（ｍ＝１，２，…、ｎ＝１，２，…）に接続された電気機器Ｘｍｎ（ｍ＝１，２，…、ｎ＝１，２，…）の電気使用量を表示する画面に切り替えるための電気量確認ボタンＢ１３や、予め選択した分岐電路に接続された電気機器の電気使用量を表示する画面に切り替えるための電気チェックボタンＢ１２が、画面の下側には上述したメニュー画面（図６に示す画面）に移行するためのメニューボタンＢ１４がそれぞれ表示されている。
【００３５】
次に、図７（ａ）に示すエコ画面において、使用者が電気量確認ボタンＢ１３を選択すると、上述と同様の処理を経て携帯端末ＰＴの画像表示部１６の表示画面１６ａに図７（ｂ）に示す画面が表示される。ここにおいてセンタ装置ＳＶは、ウェブページを作成する際に、対応する宅内設備Ａの主幹電路の現在の電気使用量、および、分岐電路Ｌｐｍｎ毎の現在の電気使用量を含む情報を、統合装置ＴＭを介してエネルギーマネジメントユニット３から取得し、取得した上記情報に基づいてウェブページを作成している。この画面の上側には画面の名称（本画面では「電気使用量確認」）を示すタイトルバーＴＢ３が、画面中央には主幹電路の電気使用量を表示する表示部Ｗ１や各分岐電路に接続された電気機器の電気使用量を表示する表示部Ｗ２〜Ｗ５が、画面の下側には前ページや次ページに移行させるための前ページボタンＢ１５、次ページボタンＢ１６と、前の画面（図７（ａ）に示すエコ画面）に移行するための戻りボタンＢ１７がそれぞれ表示されている。なお、各々の表示部Ｗ１〜Ｗ５には、対応する電路、電気機器の名称（例えば、「主幹」「太陽光発電」「蓄熱暖房」など）や、その電路等で使用されている現在の電気使用量がそれぞれ表示されている。
【００３６】
一方、図７（ａ）に示すエコ画面において、使用者が電気チェックボタンＢ１２を選択すると、上述と同様の処理を経て携帯端末ＰＴの画像表示部１６の表示画面１６ａに図７（ｃ）に示す画面が表示される。ここにおいてセンタ装置ＳＶは、ウェブページを作成する際に、対応する宅内設備Ａにおいて予め選択した分岐電路の現在の電気使用量を含む情報を、統合装置ＴＭを介してエネルギーマネジメントユニット３から取得し、取得した上記情報に基づいてウェブページを作成している。なお、上述の分岐電路を選択する設定方法については後述する。この画面の上側には画面の名称（本画面では「電気チェック」）を示すタイトルバーＴＢ４が、画面中央には予め選択した分岐電路に接続された電気機器の電気使用量を表示する表示部Ｗ６〜Ｗ９が、画面の下側には前の画面（図７（ａ）に示すエコ画面）に移行するための戻りボタンＢ１８がそれぞれ表示されている。また、タイトルバーＴＢ４と表示部との間には、予め選択された電気機器（例えば、表示部Ｗ６〜Ｗ９に表示された電気機器）に供給している電源を一括してオフできる選択機器ＯＦＦボタンＢ１９が表示されており、この選択機器ＯＦＦボタンＢ１９を選択すると、携帯端末ＰＴより電気機器の電源を一括してオフする制御信号が統合装置ＴＭを介して電気機器コントローラＣ１に送信され、電気機器コントローラＣ１が当該制御信号を受信すると、予め選択された電気機器が電気機器コントローラＣ１により一括オフされる。
【００３７】
ここで、通常、電気機器の電源を入／切する場合、図６に示すメニュー画面において、機器コントロールを行う表示画面に切り替えるための選択ボタンＢ３を選択し、複数回の画面移行を経て図１３に示す画面が画像表示部１６の表示画面１６ａに表示される。そして、この画面において、例えばリビングエアコンの電源を入／切するための「入／切」ボタンＢ５２を選択すると、リビングエアコンの電源が入／切されることになる（本画面においては、現在「入」の状態にあり、「入／切」ボタンＢ５２を選択することで、「切」の状態になる。）。
【００３８】
それに対して、本実施形態のシステムでは、図７（ｃ）の電気チェック画面において、選択機器ＯＦＦボタンＢ１９を選択することによってこれらの電気機器の電源を一括してオフすることができるので、表示部Ｗ６〜Ｗ９に表示された電気機器の電気チェックを行った後に、表示された電気機器の電源をオフするために別の画面（すなわち、図１３に示す画面）に移行しなくてもよく、操作画面の切り替えに要する手間を省くことができ、操作性が向上する。なお、上記選択機器ＯＦＦボタンＢ１９により一括してオフされる電気機器を設定する場合には、例えば表示制御装置ＣＶにおいて初期画面（図９に示す画面）から設定画面（図示せず）に移行し、当該設定画面においてこのシステムに登録された各電気機器毎に設定することになる。また、この設定は、後述する電気チェックを行う電気機器の設定とは独立して行われるものであり、選択機器ＯＦＦボタンＢ１９により一括オフされる電気機器は表示部Ｗ６〜Ｗ９に表示された電気機器に限定されない（すなわち、電気チェック画面に表示されていない電気機器でも、選択機器ＯＦＦボタンＢ１９により一括オフされる電気機器に設定しておけば、選択機器ＯＦＦボタンＢ１９を選択した場合に電源がオフされる。）。
【００３９】
而して、本実施形態のエネルギーマネジメントシステムでは、携帯端末ＰＴに主幹電路の現在の電気使用量および分岐電路毎の現在の電気使用量を表示させることができるので、使用者が住戸外にいても住戸内の電気の使用状況を把握することができ、電気の消し忘れなどを確認することができる。また、携帯端末ＰＴに表示させた電気使用量を確認することにより、家族の帰宅や外出など、住戸内の様子を把握することもできる。さらに、予め選択した分岐電路に接続された電気機器の現在の電気使用量のみを携帯端末ＰＴに表示させた場合には、すべての分岐電路に接続された電気機器の電気使用量を表示する場合に比べて、確認したい電気機器を探し出す手間を省くことができる。
【００４０】
ここにおいて、図８（ａ）（ｂ）は、携帯端末ＰＴとして携帯電話機を用いた場合の表示画面を示しており、図８（ａ）は電気使用量確認画面（図７（ｂ）に対応）を、図８（ｂ）は電気チェック画面（図７（ｃ）に対応）をそれぞれ示している。これらの画面は、上述したノート型パソコンの場合と同様の処理を経ることによって、携帯端末ＰＴ（携帯電話機）の画像表示部１６の表示画面１６ａに表示される。なお、図８（ａ）に示す画面の上側には画面の名称（本画面では「電気使用量確認」）を表示するタイトルバーＴＢ５が、画面中央には主幹電路および各分岐電路に接続された電気機器の現在の電気使用量を表示する表示部Ｗ１０が、画面の下側には現在の電気使用量をリアルタイムに更新するための再表示ボタンＢ２０、前の画面に移行するための戻りボタンＢ２１およびメニュー画面に移行するためのメニューボタンＢ２２がそれぞれ表示されている。また、図８（ｂ）に示す画面の上側には画面の名称（本画面では「電気チェック」）を表示するタイトルバーＴＢ６が、画面中央には予め選択された電気機器の現在の電気使用量を表示する表示部Ｗ１１が、画面の下側には現在の電気使用量をリアルタイムに更新するための再表示ボタンＢ２３、前の画面に移行するための戻りボタンＢ２４およびメニュー画面に移行するためのメニューボタンＢ２５がそれぞれ表示されている。さらに、タイトルバーＴＢ６と表示部Ｗ１１の間には予め選択した電気機器（例えば、表示部Ｗ１１に表示した電気機器）の電源を一括してオフできる選択機器ＯＦＦボタンＢ２６が表示されており、この選択機器ＯＦＦボタンＢ２６を選択することによって、選択機器ＯＦＦボタンＢ２６に設定された電気機器の電源を一括してオフすることができる。
【００４１】
ここで、上述の電気チェック画面（図７（ｃ）または図８（ｂ）の画面）に表示される電気機器を設定する手順について説明する。以下では、宅内の表示制御装置ＣＶ（表示装置）で設定する場合について説明する。まず、表示制御装置ＣＶを立ち上げた際、或いは、途中画面からトップ画面に切り替えると、表示制御装置ＣＶの画像表示部１６の表示画面１６ａには、図９に示す省エネモニター画面が表示される。この画面の上側には画面の名称（本画面では「省エネモニター」）を示すタイトルバーＴＢ７が表示され、その右側には電気消費量の表示画面に切り替えるための電気消費量表示ボタンＢ２７や、電気の使用状態を表示する画面に切り替えるための電気チェックボタンＢ２８や、電気使用量の比較結果の表示画面に切り替えるための比較結果表示ボタンＢ２９が表示されている。また、表示画面１６ａの下側には、当日の電気使用量を表示する表示部Ｗ１２が配置されるとともに、次ページに移行させるための次ページボタンＢ３０や、メニュー画面に移行させるためのメニューボタンＢ３１が表示されている。
【００４２】
図９に示す省エネモニター画面において、使用者が次ページボタンＢ３０を選択すると、表示制御装置ＣＶの制御部１７は、送受信部１５を制御して次ページ画面（本実施形態では省エネモニター（２／２））の表示要求を、統合装置ＴＭを介してエネルギーマネジメントユニット３に送信させる。エネルギーマネジメントユニット３では、表示制御装置ＣＶから送信された次ページ画面の表示要求を受信すると、次ページ画面を表示させるためのウェブページを表示要求の送信元の表示制御装置ＣＶに返送し、表示制御装置ＣＶでは送受信部１５が受信したウェブページが画像表示部１６の表示画面１６ａに表示される（図１０（ａ）に示す画面）。次に、図１０（ａ）に示す省エネモニター画面において、省エネモニター設定の表示画面に切り替えるための選択ボタンＢ３２を選択すると、上述と同様の処理を経て図１０（ｂ）に示す省エネモニター設定画面が画像表示部１６の表示画面１６ａに表示される。さらに、図１０（ｂ）に示す省エネモニター設定画面において、電気チェック設定の表示画面に切り替えるための選択ボタンＢ３３を選択すると、上述と同様の処理を経て図１０（ｃ）に示す電気チェック設定画面が画像表示部１６の表示画面１６ａに表示される。その後、図１０（ｃ）に示す電気チェック設定画面において、電気チェック回路設定の表示画面に切り替えるための選択ボタンＢ３４を選択すると、上述と同様の処理を経て図１０（ｄ）に示すチェック回路設定画面が画像表示部１６の表示画面１６ａに表示される。
【００４３】
この画面の上側には画面の名称（本画面では「チェック回路設定（１／２）」）を示すタイトルバーＴＢ８が表示され、画面中央には各分岐電路に接続された電気機器の名称を表示する表示部Ｗ１３〜Ｗ１６が配置されるとともに、各表示部Ｗ１３〜Ｗ１６に対応する変更ボタンＢ３５〜Ｂ３８がそれぞれ表示されている。また、画面の下側には前ページ又は次ページに移行させるための前ページボタンＢ３９、次ページボタンＢ４０と、前の画面（図１０（ｃ）の画面）に戻るための戻りボタンＢ４１が表示されている。
【００４４】
ここで、図１０（ｄ）に示すチェック回路設定画面において、例えばエアコンの設定を変更する変更ボタンＢ３８を選択すると、上述と同様の処理を経て図１１（ａ）に示す画面が画像表示部１６の表示画面１６ａに表示される。そして、この画面において、現在値ボタンＢ４３を選択した後、登録ボタンＢ４５を選択すると、上述と同様の処理を経て図１１（ｂ）に示すＯＮ／ＯＦＦ判定値の設定画面が画像表示部１６の表示画面１６ａに表示される。そして、この画面において、「はい」ボタンＢ５３を選択すると、エアコンが電気チェックされる機器に設定されるとともに、現在の消費電力が、エアコンの電気使用状態を判別するための閾値に設定される。なお、同画面において、「いいえ」ボタンＢ５４を選択すると、エアコンは電気チェックされる機器には設定されず、上述と同様の処理を経て表示画面１６ａが図１１（ａ）に示す画面に切り替わる。
【００４５】
一方、図１１（ａ）に示す画面において、現在値ボタンＢ４３を選択し、さらにエアコンを電気チェックしない機器に設定するための「しない」ボタンＢ４４を選択した後、登録ボタンＢ４５を選択すると、上述と同様の処理を経て図１１（ｃ）に示す画面が画像表示部１６の表示画面１６ａに表示される。そして、この画面において、「はい」ボタンＢ４６を選択すると、エアコンが電気チェックをしない電気機器に設定される。なお、同画面において、「いいえ」ボタンＢ４７を選択すると、上述と同様の処理を経て表示画面１６ａが図１１（ａ）に示す画面に切り替わる。
【００４６】
ここで、上述した閾値は、手動でも設定できるようになっており、図１１（ａ）に示す画面において、登録ボタンＢ４５を選択すると、上述と同様の処理を経て図１２（ａ）に示す画面が画像表示部１６の表示画面１６ａに表示される。さらに、この画面において、数字ボタンＢ４８を選択して設定したい閾値を入力した後、登録ボタンＢ４９を選択すると、上述と同様の処理を経て図１２（ｂ）に示す画面が画像表示部１６の表示画面１６ａに表示される。そして、この画面において、「はい」ボタンＢ５０を選択すると、前画面（図１２（ａ）に示す画面）において入力した閾値が新しい閾値に設定される。なお、同画面において、「いいえ」ボタンＢ５１を選択すると、上述と同様の処理を経て表示画面１６ａが図１２（ａ）に示す画面に切り替わる。ここにおいて、この閾値は、上述と同様の操作を行うことによって、各分岐電路に接続された電気機器毎に設定することができるようになっている。
【００４７】
上述のように閾値が設定されると、エネルギーマネジメントユニット３の制御部３ｂは、この閾値と演算部３ａで演算した電気使用量との大小を比較することによって、各分岐電路Ｌｐｍｎに接続された電気機器Ｘｍｎが電気使用状態にあるか否かを判別しており、演算した電気使用量がこの閾値よりも大きい場合には、電気機器Ｘｍｎが電気使用状態であると判断し、小さい場合には電気機器Ｘｍｎが電気使用状態でないと判断する。
【００４８】
而して、本実施形態のエネルギーマネジメントシステムにおいて、常時使用される電気機器（例えば、冷蔵庫や２４時間換気扇や水槽のポンプなど）が分岐電路に接続される場合、この電気機器の電気使用量を上記の閾値に設定することによって、同じ分岐電路に接続された他の電気機器が電気使用状態にあるか否かを上述のように判別することができる。また、従来のものでは常時使用される電気機器と他の電気機器とを区別できないため、常時使用される電気機器のみが使用状態にある場合であっても他の電気機器が使用状態であると判断され、この電気機器を消しに行くことになるが、本実施形態のエネルギーマネジメントシステムでは常時使用される電気機器のみが使用状態にある場合には未使用状態であると判断されるので、常時使用される電気機器のみが使用状態であるにもかかわらず他の電気機器を消しに行くという無駄足を防ぐことができる。
【００４９】
なお、本実施形態では、表示制御装置ＣＶにより、電気チェックを行う電気機器を設定したり、閾値を設定する場合について説明したが、例えばパソコンＰＣやネットテレビＴＶなどにより、センタ装置ＳＶが提供する画面（図６に示す画面）から設定するようにしてもよい。また、電気チェックを行う電気機器は、分岐電路に接続される電気機器の一部を選択してもよいし、また全部を選択してもよい。
【００５０】
また、本実施形態では、エネルギーマネジメントユニット３や統合装置ＴＭを電流計測ユニット２とともに１つの統合管理盤１内に配置した場合を例に説明したが、エネルギーマネジメントユニット３や統合装置ＴＭを電流計測ユニット２とは別の管理盤として設け、電流計測ユニット２とエネルギーマネジメントユニット３との間を通信ケーブルにより接続するように構成してもよい。
ここに、分岐電路毎に、分岐電路にそれぞれ接続される電気機器が電気使用状態か否かを判別するための閾値を設定する閾値設定手段を備え、制御部は、閾値設定手段により設定された閾値と、使用電力量演算部の演算結果との大小を比較することによって、電気機器が電気使用状態か否かを判別するようにしてもよい。そして本構成により、常時使用される電気機器が分岐電路に接続される場合、この電気機器の電気使用量を閾値に設定することによって、当該分岐電路に接続された他の電気機器が使用状態か否かを判別することができる。また、従来のものでは常時使用される電気機器と他の電気機器とを区別できないため、常時使用される電気機器のみが使用状態にある場合であっても使用状態であると判断され、他の電気機器を消しに行くことになるが、本発明によれば常時使用される電気機器のみが使用状態にある場合には未使用状態であると判断されるので、常時使用される電気機器のみが使用状態であるにもかかわらず他の電気機器を消しに行くという無駄足を防ぐことができる。
【図面の簡単な説明】
【００５１】
【図１】本実施形態のエネルギーマネジメントシステムの各構成を示すブロック図である。
【図２】同上の各構成を示す別のブロック図である。
【図３】同上の構成を示すシステム図である。
【図４】同上の統合管理盤内の配置図である。
【図５】同上の端末装置のブロック図である。
【図６】同上の端末装置の表示画面の例図である。
【図７】（ａ）〜（ｃ）は同上の端末装置の表示画面の例図である。
【図８】（ａ）、（ｂ）は同上の端末装置の表示画面の例図である。
【図９】同上の端末装置の表示画面の例図である。
【図１０】（ａ）〜（ｄ）は同上の端末装置の表示画面の例図である。
【図１１】（ａ）〜（ｃ）は同上の端末装置の表示画面の例図である。
【図１２】（ａ）、（ｂ）は同上の端末装置の表示画面の例図である。
【図１３】同上の端末装置の表示画面の例図である。
【符号の説明】
【００５２】
２  電流計測ユニット
３  エネルギーマネジメントユニット
３ａ  演算部（使用電力量演算部）
３ｂ  制御部
Ａ  宅内設備
Ｂｍｎ  分岐ブレーカ
Ｂｓ  主幹ブレーカ
ＣＴｍｎ  分岐電流計測部
ＣＶ  表示制御装置（表示装置）
Ｌｐｍｎ  電路
ＮＴ  インターネット（ネットワーク）
ＰＣ  パーソナル・コンピュータ（表示装置）
ＰＴ  携帯端末（端末装置）
ＳＶ  センタ装置（サーバ）
ＴＭ  統合装置（ネットワーク接続部）
ＴＶ  ネットテレビ（端末装置）
【図１】
0005108471.tif 000002
【図２】
0005108471.tif 000003
【図３】
0005108471.tif 000004
【図４】
0005108471.tif 000005
【図５】
0005108471.tif 000006
【図６】
0005108471.tif 000007
【図７】
0005108471.tif 000008
【図８】
0005108471.tif 000009
【図９】
0005108471.tif 000010
【図１０】
0005108471.tif 000011
【図１１】
0005108471.tif 000012
【図１２】
0005108471.tif 000013
【図１３】
0005108471.tif 000014